(57)【要約】      （修正有）【課題】丈夫な構造、大きい拡張可能の余地、拡張可能なバランスウエイトを備える中軸構造こまを提供する。【解決手段】こまの先１、ナット５、トップカバー１０、中軸及び中軸に据付けたバランスウエイト８、こまシール（口金）９からなり、前記中軸は、主中軸と少なくとも１つの拡張可能な中軸６からなり、前記主中軸は、左殻４、右殻３の組み合わせにて作った中空軸体であり、前記こまの先とナットを当該中空軸体の中に固定し据付ける；前記拡張可能な中軸も中空軸体であり、そして前記主中軸の上側に固定し据付ける；前記トップカバー下側に、前記ナットに対応するスタッド１０Ａを設けて、当該スタッドは、下向きに前記こまシールと中軸を通過して、そして前記こまシール９を前記主中軸と拡張可能な中軸６に締めて固定する。【選択図】図５
0003158442.tif 000002
【実用新案登録請求の範囲】
【請求項１】
拡張可能な玩具こまであって、こまの先(1)、ナット(5)、トップカバー(10)、中軸と中軸に据付けたこまシール（口金）からなり、前記中軸は、主中軸と少なくとも１つの拡張可能な中軸(6)からなり、前記主中軸は、左殻(4)、右殻(3)の組み合わせによって作った中空軸体であり、前記こまの先(1)とナット(5)を、当該中空軸体の中に固定し据付ける；前記拡張可能な中軸(6)も中空軸体であり、そして前記主中軸の上側に固定し据付ける；前記トップカバー(10)下側には、前記ナット(5)に対応するスタッド(10A)を設けて、当該スタッド(10A)は、下向きに前記こまシールと中軸を通過して、そして前記こまシールを前記主中軸と拡張可能な中軸(6)係合させて固定することを特徴とする拡張可能な玩具こま。
【請求項２】
前記主中軸の左殻(4)、右殻(3)の外壁上部側には、それぞれ主中軸ボタン突起(4A、3A)を設けて、前記拡張可能な中軸(6)の外壁下部には、１対の四角い腕木形クリップ突起を設けて、当該四角い腕木形クリップ突起を前記主中軸ボタン突起(4A、3A)に係合させて固定する；そして、前記主中軸内壁上部側にも、２対の主中軸止め溝(4E、3E)を設け、相応的に、前記拡張可能な中軸(6)の外壁に、前記主中軸止め溝(4E、3E)に対応する２対の拡張可能な中軸止め突起(6E)を設けることを特徴とする請求項１記載の拡張可能な玩具こま。
【請求項３】
前記拡張可能な中軸(6)は第1の拡張可能な中軸として、第1の拡張可能な中軸上側にもう１つ拡張可能な中軸を増設して、第2の拡張可能な中軸(7)とする；二つの拡張可能な中軸は、構成が同じであり、前記第2の拡張可能な中軸(7)の外壁にも、１対の四角い腕木形クリップ突起と２対の拡張可能な中軸止め突起(7E)を設け、前記第1の拡張可能な中軸と第2の拡張可能な中軸(7)の内壁上部側には、それぞれ２対の拡張可能な中軸止め溝(6D、7D)を設け、前記第1の拡張可能な中軸と第2の拡張可能な中軸(7)の外壁上部側には、それぞれ１対の拡張可能な中軸ボタン突起(6A、7A)を設け、前記第2の拡張可能な中軸(7) の拡張可能な中軸止め突起(7E)は、前記第1の拡張可能な中軸の拡張可能な中軸止め溝(6D)に対応して、第2の拡張可能な中軸(7) の四角い腕木形クリップ突起は、前記第1の拡張可能な中軸の拡張可能な中軸ボタン突起(6A)に係合され固定されることを特徴とする請求項２記載の拡張可能な玩具こま。
【請求項４】
前記第１の拡張可能な中軸、第2の拡張可能な中軸(7)の内壁上部側の拡張可能な中軸止め溝(6D、7D)の下側には、１つの内側フランジを設け、当該内側フランジ上部側の軸内径は、その下部側の軸内径より大きく、さらに前記主中軸の内壁上部側の主中軸止め溝(4E、3E)の下側にも、１つの内側フランジを設ける；相応的に、前記第１の拡張可能な中軸と第2の拡張可能な中軸(7)の外壁下部には、それぞれ１つの外側フランジを設け、当該外側フランジ上部側の軸外径は、その下側の軸外径よりも大きく、前記拡張可能な中軸止め突起(6E、7E)は、前記外側フランジ下部側の軸外壁に設けられる；前記主中軸の内側フランジ上側の軸内径は、第１の拡張可能な中軸の外側フランジ下側の軸外径に対応し、前記第１の拡張可能な中軸の内側フランジ上側の軸内径は、前記第2の拡張可能な中軸(7)の外側フランジ下側の軸外径に対応することを特徴とする請求項３記載の拡張可能な玩具こま。
【請求項５】
拡張装填された中軸のこまシールは、トップこまシール(9)と数個のバランスウエイト(8)からなり、前記主中軸外壁の、主中軸ボタン突起(4A、3A)の下側にそれぞれバランスウエイト(8)を据付けるための主中軸突起ガイド用ロッド(4C、3C)を設けて、前記第１の拡張可能な中軸と第2の拡張可能な中軸(7)に設けた四角い腕木形クリップ突起の縦方向外壁には、バランスウエイト(8)を据付けるための拡張可能な中軸突起ガイド用ロッド(6C、7C)があり、相応的に、前記バランスウエイト(8)の内壁には、バランスウエイトガイド溝(8A)を設ける；前記トップこまシール(9)の内壁には、第2の拡張可能な中軸(7)の拡張可能な中軸ボタン突起(7A)に対応するこまシールガイド溝(9A)を設けることを特徴とする請求項４記載の拡張可能な玩具こま。
【請求項６】
前記主中軸ボタン突起(4A、3A)と主中軸突起ガイド用ロッド(4C、3C)の間に主中軸細長溝(4B、3B)を設け、同じ原理によって、前記第１の拡張可能な中軸及び第2の拡張可能な中軸(7)の拡張可能な中軸ボタン突起(6A、7A)は、四角い腕木形クリップ突起との間に拡張可能な中軸細長溝(6B、7B)を設けることを特徴とする請求項５記載の拡張可能な玩具こま。
【請求項７】
前記主中軸の左殻(4)、右殻(3)内壁底部には、それぞれ半環状のこまの先接続クリップ突起(4G、3G)を設け、こまの先(1)外部には、前記こまの先接続クリップ突起(4G、3G)に対応する１つの細長溝(1A)を設ける；前記主中軸の左殻(4)、右殻(3)の底部周辺には、それぞれ固定クリップ突起(4D、3D)を設けて、こまの底蓋 (2)の内壁には、当該固定クリップ突起(4D、3D)に対応する1対の細長溝(2B)をもうけることを特徴とする請求項１から６のいずれか１項記載の拡張可能な玩具こま。
【請求項８】
前記第１の拡張可能な中軸と第2の拡張可能な中軸(7)の内側に、前記トップカバー(10)下側のスタッド(10A)に対応する凹ネジを設けることを特徴とする請求項１から６のいずれか１項記載の拡張可能な玩具こま。
【請求項９】
前記ナット(5)の外側壁には、１対のナット突起(5A)を設け、前記主中軸内壁には、前記ナット突起(5A)に対応するナット固定溝(4F、3F)を設けることを特徴とする請求項8記載の拡張可能な玩具こま。
【請求項１０】
前記トップカバー(10)にも、回転導入器（こまに回転運動をおこさせる用具）と接続する二穴(10B)を設けることを特徴とする請求項9記載の拡張可能な玩具こま。
【考案の詳細な説明】
【技術分野】
【０００１】
本考案は玩具分野に関し、特に玩具こまに関する。
【背景技術】
【０００２】
現在、市場の玩具こまは、品種が多いが、大部分が中軸一体化の構成手段を用いる。この手段を用いると、最も大きい欠点は、こまの部品が基本的に固定であり、殆ど拡張可能余地がないことである。例えバランスウエイトについて拡張可能であっても、トップカバースクリューの一部の長さを相殺してしまい、固定力がさがるので、玩具こまの高速回転の際、回転ボタンは大きいトルクを受け、製品はばらばらになりやすい。その結果、部品が高速で飛び出して人体を傷害することもおこる可能性があり、潜在的な危険性がある。
【考案の開示】
【考案が解決しようとする課題】
【０００３】
本考案の目的は、丈夫な構造、大きい拡張可能の余地、拡張可能なバランスウエイトを備える中軸構造こまを提供することである。
【課題を解決するための手段】
【０００４】
本考案は、次の技術的改良にて実現されたものであり、拡張可能な玩具こまであって、こまの先、ナット、トップカバー、中軸及び中軸に据付けたバランスウエイト、こまシール（口金）からなり、前記中軸は、主中軸と少なくとも1つの拡張可能な中軸からなり、前記主中軸は、左殻、右殻の組み合わせにて作った中空軸体であり、前記こまの先とナットを当該中空軸体の中に固定し据付ける；前記拡張可能な中軸も中空軸体であり、そして前記主中軸の上側に固定し据付ける；前記トップカバー下側に、前記ナットに対応するスタッドを設けて、当該スタッドは、下向きに前記こまシールと中軸を通過して、そして前記こまシールを前記主中軸と拡張可能な中軸に締めて固定する。
【０００５】
本考案は、次の改良を達成でき、前記主中軸の左、右殻の外壁上側に、それぞれ主中軸ボタン突起を設けて、前記拡張可能な中軸の外壁下側に、１対の四角い腕木形クリップ突起を設けて、当該四角い腕木形クリップ突起は、前記主中軸ボタン突起に係合させて固定する；そして、前記主中軸の内壁上側には、2対の主中軸止め溝を設けて、対応的に、前記拡張可能な中軸の外壁には、前記主中軸止め溝と対応する2対の拡張可能な中軸止め突起を設けて、即ち拡張可能な中軸を、主中軸の左、右殻に入れて、そして力を入れて回転して、それによって拡張可能な中軸における二つの四角い腕木形クリップ突起を、それぞれ主中軸の主中軸ボタン突起にきっちりと係合させ、そして2対の拡張可能な中軸止め突起を、それぞれ2対の主中軸止め溝にきっちりと係合させる。
【０００６】
本考案は、次のような改良も達成できる。前記拡張可能な中軸は、第1の拡張可能な中軸とし、第1の拡張可能な中軸上側に、もう1つ拡張可能な中軸を増設して、第2の拡張可能な中軸とし、二つの拡張可能な中軸の構成は同じである。即ち、前記第2の拡張可能な中軸の外壁にも、１対の四角い腕木形クリップ突起と２対の拡張可能な中軸止め突起を設け、前記第１の拡張可能な中軸と第2の拡張可能な中軸の内壁上側には、それぞれ２対の拡張可能な中軸止め溝を設け、前記第１の拡張可能な中軸と第2の拡張可能な中軸の外壁上側には、それぞれ１対の拡張可能な中軸ボタン突起を設け、前記第2の拡張可能な中軸の拡張可能な中軸止め突起と前記第１の拡張可能な中軸の拡張可能な中軸止め溝は対応し、第2の拡張可能な中軸の四角い腕木形クリップ突起は、前記第１の拡張可能な中軸の拡張可能な中軸ボタン突起に係合させて固定する。即ち、第2の拡張可能な中軸を第１の拡張可能な中軸に入れ、力を入れて回転して、第2の拡張可能な中軸の２対の拡張可能な中軸止め突起を、それぞれ第１の拡張可能な中軸の２対の拡張可能な中軸止め溝に係合させて固定する。
【０００７】
前記第１の拡張可能な中軸、第2の拡張可能な中軸の内壁上側の拡張可能な中軸止め溝下側には、１つの内側フランジを設け、当該内側フランジ上側の軸内径は、その下側の軸内径より大きく、同様に、前記主中軸の内壁上側の主中軸止め溝下側にも、１つの内側フランジを設ける；相応的に、前記第１の拡張可能な中軸と第2の拡張可能な中軸の外壁下側には、それぞれ１つの外側フランジを設け、当該外側フランジ上側の軸外径は、その下側の軸外径より大きく、前記拡張可能な中軸止め突起は、前記外側フランジ下側の軸外壁に設けられる；前記主中軸の内側フランジ上側の軸内径は、第１の拡張可能な中軸の外側フランジ下側の軸外径と対応し、前記第１の拡張可能な中軸の内側フランジ上側の軸内径は、前記第2の拡張可能な中軸の外側フランジ下側の軸外径と対応する。
【０００８】
本考案は、次の改良も達成できる。中軸に据付けた前記こまシールは、トップこまシールと数個のバランスウエイトからなり、前記主中軸において、主中軸ボタン突起の下側に、それぞれバランスウエイトを据付けるための主中軸突起ガイド用ロッドを設け、前記第１の拡張可能な中軸と第2の拡張可能な中軸に設けた四角い腕木形クリップ突起の縦方向外壁は、バランスウエイトを据付けるための拡張可能な中軸突起ガイド用ロッドであり、相応的に、前記バランスウエイトの内壁には、バランスウエイトガイド溝を設ける；前記トップこまシールの内壁には、第2の拡張可能な中軸の拡張可能な中軸ボタン突起と対応するこまシールガイド溝を設ける。
【０００９】
本考案は、次の改良も達成できる。前記主中軸ボタン突起と主中軸突起ガイド用ロッドの間に、主中軸細長溝を設け、同じ原理によって、前記第１の拡張可能な中軸と第2の拡張可能な中軸の拡張可能な中軸ボタン突起は、四角い腕木形クリップ突起との間に拡張可能な中軸細長溝を設け、拡張可能な中軸の四角い腕木形クリップ突起の据付位置をさらに限定する。
【００１０】
本考案は、次の改良も達成できる。前記主中軸の左殻、右殻内壁底部には、それぞれ半環状のこまの先接続クリップ突起を設け、こまの先外部には、１つの前記こまの先接続クリップ突起に対応する細長溝を設け、こまの先接続クリップ突起と細長溝の協力により、こまの先を中空の主中軸に固定し据付ける；前記主中軸の左殻、右殻の底部周辺には、それぞれ固定クリップ突起を設け、前記こま底蓋内壁には、当該固定クリップ突起に対応する1対の細長溝を設けて、即ち、こま底蓋を主中軸に据付けて固定する。本考案の前記第１の拡張可能な中軸と第2の拡張可能な中軸には、それぞれ前記トップカバー下側スタッドに対応する凹ネジを設ける。本考案前記ナットの外側壁には、１対のナット突起を設け、前記主中軸内壁には、前記ナット突起と対応するナット固定溝を設け、それによってナットを中空の主中軸に据付けて固定する。前記トップカバーには、回転導入器（こまに回転運動をおこさせる道具）と接続するための2穴を設け、当該孔を用いて、すばやいロック及びトップカバーの旋開を実現できる。
【考案の効果】
【００１１】
従来技術に比べると、本考案の効果は：
１）  本考案は、拡張可能な玩具こまであって、構造が斬新であり、そして、こまの中軸は、主中軸と拡張可能な中軸からなり、二者は、多種スペーシング構をかけることにより、安定な接続を形成する；そして、玩具こまの遊び性と戦闘力を向上するため、拡張可能な中軸の数量を増加することにより、バランスウエイト又はこまシールの数量増加を実現でき、それで、普通のこまより多い拡張可能な余地があり、無限に拡張可能である。
２）  本考案は、拡張可能な玩具こまであって、主中軸は分割型構造を採用し、２つの半軸の接続にて構成されており、こまの先とナットの組立固定及びこまの先の拡張可能な交換のためにより便利である。
３）  本考案は、拡張可能な玩具こまであって、拡張可能な中軸は中空構造を採用し、その拡張可能な中軸の中に、トップカバー下側スタッドに対応するための凹ネジを設けており、それによって、トップカバー下側のスタッドを、直接に主中軸の中に所在するナットにきっちりと締めて固定でき、又は、こまの実際の拡張可能な状況によって、スタッドを相応な拡張可能な中軸の中に固定でき、分解のために便利である。
【図面の簡単な説明】
【００１２】
【図１】図1は本考案実施例1のこま外観構成図である；
【図２】図2は本考案実施例1のこまの主中軸の分解拡大構成図である；
【図３】図3は本考案実施例1のこま構成分解を示す図である；
【図４】図4は本考案実施例1のこまの俯瞰図である；
【図５】図5は図4のA-A線断面図である；
【図６】図6は図4のB-B線断面図である；
【図７】図7は本考案実施例2の外観構成図である。
【考案を実施するための最良の形態】
【００１３】
実施例１
本考案の具体的な実施手段は、図1〜6に示す通り、拡張可能な玩具こまであって、こまの先1、ナット5、トップカバー10、中軸及び中軸に据付けたバランスウエイト、こまシール（口金）からなり、中軸は主中軸と二つの拡張可能な中軸からなり、一つの拡張可能な中軸6は、第１の拡張可能な中軸とし、もう１つの拡張可能な中軸は第2の拡張可能な中軸7とする。二つの拡張可能な中軸の構成は同じであって、主中軸は、左殻4、右殻3の組み合わせによって作った中空軸体であり、こまの先1とナット5を当該中空軸体の中に固定し据付ける；二つの拡張可能な中軸も中空軸体であり、第１の拡張可能な中軸を主中軸の上側に固定し据付け、第2の拡張可能な中軸7を、第１の拡張可能な中軸上側に固定し据付ける；トップカバー10下側には、ナット5に対応するスタッド10Aを設け、当該スタッド10Aは、下向きにこまシールと中軸を通過し、こまシールを主中軸と二つの拡張可能な中軸に係合させて固定する。主中軸の左殻4、右殻3内壁底部には、それぞれ半環状のこまの先接続クリップ突起4G、3Gを設け、こまの先1外部には、１つのこまの先接続クリップ突起4G、3Gに対応する細長溝1Aを設け、こまの先接続クリップ突起4G、3Gと細長溝1Aの組み合わせにより、こまの先1を中空の主中軸に固定し据付ける。主中軸の左殻4、右殻3の底部周辺には、それぞれ固定クリップ突起4D、3Dを設け、こまの底蓋2の内壁には、当該固定クリップ突起に対応する１対の細長溝2Bを設け、こまの底蓋2を主中軸に据付け、力を入れて回転して、それによって、左殻4、右殻3の底部周辺の固定クリップ突起角点（波点）4D、3Dを、こまの底蓋2の細長溝2Bにきっちりとロックできる。
【００１４】
主中軸の左、右殻4、3の外壁上側には、それぞれ主中軸ボタン突起4A、3Aを設け、主中軸の内壁上側にも、２対の主中軸止め溝4E、3Eを設け、相応的に、第１の拡張可能な中軸と第2の拡張可能な中軸7の外壁上側には、それぞれ１対の拡張可能な中軸ボタン突起6A、7Aを設け、第１の拡張可能な中軸と第2の拡張可能な中軸7の内壁上側には、２対の拡張可能な中軸止め溝6D、7Dを設け、第１の拡張可能な中軸の外壁には、主中軸止め溝4E、3Eに対応する２対の拡張可能な中軸止め突起6Eを設け、第2の拡張可能な中軸7の外壁にも、２対の拡張可能な中軸止め突起7Eを設け、第１の拡張可能な中軸の拡張可能な中軸止め溝6Dに対応する。二つの拡張可能な中軸の外壁下部には、１対の四角い腕木形クリップ突起を設け、第１の拡張可能な中軸の四角い腕木形クリップ突起の上側は、拡張可能な中軸6と接続し、下側は、主中軸ボタン突起4A、3Aにきっちりと係合して固定される；第2の拡張可能な中軸7 の四角い腕木形クリップ突起の上側は、第2の拡張可能な中軸7に接続し、下側は、第１の拡張可能な中軸上の拡張可能な中軸ボタン突起6Aに係合させて固定される。
第１の拡張可能な中軸、第2の拡張可能な中軸7の内壁上側の拡張可能な中軸止め溝6D下側には、１つの内側フランジを設けて、内側フランジ上側の軸内径は、その下側の軸内径より大きく、同様に、主中軸の内壁上側の主中軸止め溝4E、3E下側にも、１つの内側フランジを設ける；相応的に、第１の拡張可能な中軸と第2の拡張可能な中軸7の外壁下部には、それぞれ１つの外側フランジを設け、当該外側フランジ上側の軸外径は、その下側の軸外径より大きく、拡張可能な中軸止め突起6E、7Eは、当該外側フランジ下側の軸外壁に設けられる；主中軸の内側フランジ上側の軸内径は、第１の拡張可能な中軸の外側フランジ下側の軸外径に対応し、第１の拡張可能な中軸の内側フランジ上側の軸内径は、第2の拡張可能な中軸の外側フランジ下側の軸外径に対応する。
【００１５】
中軸に据付けたこまシールは、トップこまシール9と数個のバランスウエイト8からなり、主中軸の左殻4、右殻3外壁において、主中軸ボタン突起4A、3Aの下側に、それぞれバランスウエイト8を据付けるための主中軸突起ガイド用ロッド4C、3Cを設け、第１の拡張可能な中軸と第2の拡張可能な中軸7に設けた四角い腕木形クリップ突起の縦方向外壁は、バランスウエイト8を据付けるための拡張可能な中軸突起ガイド用ロッド6C、7Cであり、相応的に、バランスウエイト8の内壁には、バランスウエイトガイド溝8Aを設ける；トップこまシール9の内壁には、第2の拡張可能な中軸7上の拡張可能な中軸ボタン突起7Aに対応するこまシールガイド溝9Aを設ける。主中軸ボタン突起4A、3Aと主中軸突起ガイド用ロッド4C、3Cの間に、主中軸細長溝4B、3Bを設け、同じ原理にて、第１の拡張可能な中軸及び第2の拡張可能な中軸7の拡張可能な中軸ボタン突起6A、7Aと四角い腕木形クリップ突起の間に、拡張可能な中軸細長溝6B、7Bを設ける。ナット5の外側壁には、１対のナット突起5Aを設けて、主中軸突起ガイド用ロッド4C、3Cの凹状内壁は、前記ナット突起5Aに対応するナット固定溝4F、3Fを形成する。
【００１６】
第１の拡張可能な中軸と第2の拡張可能な中軸7の中に、それぞれトップカバー10下側スタッド10Aに対応する凹ネジを設ける。トップカバー10において、回転導入器と接続する穴10Bを2つ設け、穴は方孔が最適である。
【００１７】
実施例２
本考案の具体的な実施手段は、図7に示している。実施例1と異なるのは、こまの中軸は、主中軸と拡張可能な中軸１つからなり、拡張可能な中軸の１つを減少したので、相応的に二つのバランスウエイト8を減少する。
前記の実施例において、拡張可能な中軸の数量を任意に増加し減少することにより、バランスウエイト又はこまシールの数量を変えることができ、拡張可能な中軸を規格部品として設計したので、要求に対応しながら、柔軟に組み立て、製品の面白さを大幅に向上できる。その他、主中軸の左殻4、右殻3の組み合わせ箇所には、少なくとも１対の組み合わせたプラグと差し込み口がある。トップカバー10下のトップこまシール9には、駆動装置接続用の溝を設ける。
【符号の説明】
【００１８】
1:こまの先
1A:細長溝
2:こまの底蓋
2B:細長溝
3:右殻
3A:主中軸ボタン突起
3B:主中軸細溝
3C:主中軸突起ガイド用ロッド
3D:固定クリップ突起
3E:主中軸止め溝
3F:ナット固定溝
3G:接続クリップ突起
4:左殻
4A:主中軸ボタン突起
4B:主中軸細溝
4C:主中軸突起ガイド用ロッド
4D:固定クリップ突起
4E:主中軸止め溝
4F:ナット固定溝
4G:接続クリップ突起
5:ナット
5A:ナット突起
6:拡張可能な中軸
6A:拡張可能な中軸ボタン突起
6B拡張可能な中軸細溝
6C:拡張可能な中軸突起ガイド用ロッド
6D:拡張可能な中軸止め溝
6E:拡張可能な中軸止め突起
7:第2の拡張可能な中軸
7A:拡張可能な中軸ボタン突起
7B拡張可能な中軸細溝
7C:拡張可能な中軸突起ガイド用ロッド
7E:拡張可能な中軸止め突起
8:バランスウエイト
8A:バランスウエイトガイド溝
9:トップこまシール
9A:こまシールガイド溝
10:トップカバー
10A:スタッド
10B: 回転導入器（こまに回転運動をおこさせる用具）と接続する二穴
【図１】
0003158442.tif 000003
【図２】
0003158442.tif 000004
【図３】
0003158442.tif 000005
【図４】
0003158442.tif 000006
【図５】
0003158442.tif 000007
【図６】
0003158442.tif 000008
【図７】
0003158442.tif 000009
【手続補正書】
【提出日】平成22年1月27日(2010.1.27)
【手続補正１】
【補正対象書類名】実用新案登録請求の範囲
【補正対象項目名】全文
【補正方法】変更
【補正の内容】
【実用新案登録請求の範囲】
【請求項１】
こまの先(1)、ナット(5)、トップカバー(10)、中軸と中軸に据付けたこまシールからなり、前記中軸は、主中軸と少なくとも１つの拡張可能な中軸(6)からなる拡張可能な玩具こまであって、
（１）前記主中軸は、左殻(4)、右殻(3)の組み合わせによって作った中空軸体であり、前記こまの先(1)とナット(5)を、当該中空軸体の中に固定し据付け、
（２）前記拡張可能な中軸(6)も中空軸体であり、そして前記主中軸の上側に固定し据付け、
（３）前記トップカバー(10)下側には、前記ナット(5)に対応するスタッド(10A)を設けて、当該スタッド(10A)は、下向きに前記こまシールと中軸を通過して、そして前記こまシールを前記主中軸と拡張可能な中軸(6)係合させて固定する、
ことを特徴とする拡張可能な玩具こま。
【請求項２】
前記主中軸の左殻(4)、右殻(3)の外壁上部側には、それぞれ主中軸ボタン突起(4A、3A)を設けて、前記拡張可能な中軸(6)の外壁下部には、１対の四角い腕木形クリップ突起を設けて、当該四角い腕木形クリップ突起を前記主中軸ボタン突起(4A、3A)に係合させて固定し、前記主中軸の内壁上部側にも、２対の主中軸止め溝(4E、3E)を設け、相応的に、前記拡張可能な中軸(6)の外壁に、前記主中軸止め溝(4E、3E)に対応する２対の拡張可能な中軸止め突起(6E)を設けることを特徴とする請求項１記載の拡張可能な玩具こま。
【請求項３】
前記拡張可能な中軸(6)は第1の拡張可能な中軸として、第1の拡張可能な中軸上側にもう１つ拡張可能な中軸を増設して、第2の拡張可能な中軸(7)とし、二つの拡張可能な中軸は、構成が同じであり、前記第2の拡張可能な中軸(7)の外壁にも、１対の四角い腕木形クリップ突起と２対の拡張可能な中軸止め突起(7E)を設け、前記第1の拡張可能な中軸と第2の拡張可能な中軸(7)の内壁上部側には、それぞれ２対の拡張可能な中軸止め溝(6D、7D)を設け、前記第1の拡張可能な中軸と第2の拡張可能な中軸(7)の外壁上部側には、それぞれ１対の拡張可能な中軸ボタン突起(6A、7A)を設け、前記第2の拡張可能な中軸(7) の拡張可能な中軸止め突起(7E)は、前記第1の拡張可能な中軸の拡張可能な中軸止め溝(6D)に対応して、第2の拡張可能な中軸(7) の四角い腕木形クリップ突起は、前記第1の拡張可能な中軸の拡張可能な中軸ボタン突起(6A)に係合され固定されることを特徴とする請求項２記載の拡張可能な玩具こま。
【請求項４】
前記第１の拡張可能な中軸、第2の拡張可能な中軸(7)の内壁上部側の拡張可能な中軸止め溝(6D、7D)の下側には、１つの内側フランジを設け、当該内側フランジ上部側の軸内径は、その下部側の軸内径より大きく、さらに前記主中軸の内壁上部側の主中軸止め溝(4E、3E)の下側にも、１つの内側フランジを設け、相応的に、前記第１の拡張可能な中軸と第2の拡張可能な中軸(7)の外壁下部には、それぞれ１つの外側フランジを設け、当該外側フランジ上部側の軸外径は、その下側の軸外径よりも大きく、前記拡張可能な中軸止め突起(6E、7E)は、前記外側フランジ下部側の軸外壁に設けられ、前記主中軸の内側フランジ上側の軸内径は、第１の拡張可能な中軸の外側フランジ下側の軸外径に対応し、前記第１の拡張可能な中軸の内側フランジ上側の軸内径は、前記第2の拡張可能な中軸(7)の外側フランジ下側の軸外径に対応することを特徴とする請求項３記載の拡張可能な玩具こま。
【請求項５】
拡張装填された中軸のこまシールは、トップこまシール(9)と数個のバランスウエイト(8)からなり、前記主中軸の外壁の、主中軸ボタン突起(4A、3A)の下側にそれぞれバランスウエイト(8)を据付けるための主中軸突起ガイド用ロッド(4C、3C)を設けて、前記第１の拡張可能な中軸と第2の拡張可能な中軸(7)に設けた四角い腕木形クリップ突起の縦方向外壁には、バランスウエイト(8)を据付けるための拡張可能な中軸突起ガイド用ロッド(6C、7C)があり、相応的に、前記バランスウエイト(8)の内壁には、バランスウエイトガイド溝(8A)を設け、前記トップこまシール(9)の内壁には、第2の拡張可能な中軸(7)の拡張可能な中軸ボタン突起(7A)に対応するこまシールガイド溝(9A)を設けることを特徴とする請求項４記載の拡張可能な玩具こま。
【請求項６】
前記主中軸ボタン突起(4A、3A)と主中軸突起ガイド用ロッド(4C、3C)の間に主中軸細長溝(4B、3B)を設け、同じ原理によって、前記第１の拡張可能な中軸及び第2の拡張可能な中軸(7)の拡張可能な中軸ボタン突起(6A、7A)は、四角い腕木形クリップ突起との間に拡張可能な中軸細長溝(6B、7B)を設けることを特徴とする請求項５記載の拡張可能な玩具こま。
【請求項７】
前記主中軸の左殻(4)、右殻(3)内壁底部には、それぞれ半環状のこまの先接続クリップ突起(4G、3G)を設け、こまの先(1)外部には、前記こまの先接続クリップ突起(4G、3G)に対応する１つの細長溝(1A)を設け、前記主中軸の左殻(4)、右殻(3)の底部周辺には、それぞれ固定クリップ突起(4D、3D)を設けて、こまの底蓋 (2)の内壁には、当該固定クリップ突起(4D、3D)に対応する1対の細長溝(2B)をもうけることを特徴とする請求項１から６のいずれか１項記載の拡張可能な玩具こま。
【請求項８】
前記第１の拡張可能な中軸と第2の拡張可能な中軸(7)の内側に、前記トップカバー(10)下側のスタッド(10A)に対応する凹ネジを設けることを特徴とする請求項１から６のいずれか１項記載の拡張可能な玩具こま。
【請求項９】
前記ナット(5)の外側壁には、１対のナット突起(5A)を設け、前記主中軸の内壁には、前記ナット突起(5A)に対応するナット固定溝(4F、3F)を設けることを特徴とする請求項８記載の拡張可能な玩具こま。
【請求項１０】
前記トップカバー(10)にも、回転導入器と接続する二穴(10B)を設けることを特徴とする請求項９記載の拡張可能な玩具こま。